(57)【要約】【課題】開脚状態及び閉脚状態の双方で安定性が良好な折り畳み可能なポータブルトイレを提供すること。【解決手段】ポータブルトイレ１０は、脚体部１１とトイレ本体部４０とを備える。脚体部１１は、開脚状態から閉脚状態へ折り畳み可能である。脚体部１１は、各脚の下端に、開脚状態での接地面である第１接地面３９ａと、閉脚状態での接地面である第２接地面３９ｂとを有し、開脚状態において、側面視して第１接地面３９ａにおける前後方向の外側縁部の下端が内側縁部の下端よりも下方に位置している状態、及び正面視して第１接地面３９ａにおける左右方向の外側縁部の下端が内側縁部の下端よりも下方に位置している状態の少なくともいずれかとなっている。【選択図】図１
2018019781.tif 000002
【特許請求の範囲】
【請求項１】
左右一対の前脚部と、左右一対の後脚部とを有する脚体部と、
バケツを受けることが可能な受け部と、前記受け部の上方に配置される便座とを有するトイレ本体部と、
を備え、
前記脚体部は、前記前脚部の下部と前記後脚部の下部とが離間した開脚状態から、前記前脚部の下部と前記後脚部の下部とが接近した閉脚状態へ折り畳み可能であり、
各脚の下端に、前記開脚状態での接地面である第１接地面と、前記閉脚状態での接地面である第２接地面とを有し、
前記開脚状態において、側面視して前記第１接地面における前後方向の外側縁部の下端が内側縁部の下端よりも下方に位置している状態、及び正面視して前記第１接地面における左右方向の外側縁部の下端が内側縁部の下端よりも下方に位置している状態の少なくともいずれかとなっていることを特徴とするポータブルトイレ。
【請求項２】
前記第１接地面が前記第２接地面よりも広くなっている、請求項１に記載のポータブルトイレ。
【請求項３】
前記閉脚状態で前記前脚部と前記後脚部とで自立可能であり、
前記第２接地面が前記第１接地面よりも前後方向の外側に設けられている、請求項１又は２に記載のポータブルトイレ。
【請求項４】
前記脚体部は、各脚の下端に板状の脚ゴムを有し、
前記脚ゴムの下面によって前記第１接地面及び前記第２接地面が形成されている、請求項１〜３のいずれか一項に記載のポータブルトイレ。
【請求項５】
前記脚ゴムは、側面視して前記第１接地面の前後方向の外側縁部、及び平面視して前記第１接地面の左右方向の外側縁部の少なくとも一方に、下方に突出する突部を有する、請求項４に記載のポータブルトイレ。
【請求項６】
前記突部は、前記第１接地面の前後方向の外側縁部において左右方向に延びるか、又は前記第１接地面の左右方向の外側縁部において前後方向に延びる突条部である、請求項５に記載のポータブルトイレ。
【請求項７】
前記脚ゴムの下面のうち前記第１接地面と前記第２接地面との境界、及び前記脚ゴムの上面のうち前記境界に対応する位置の少なくとも一方に、前記境界の長さ方向へ延びる溝部が形成されている、請求項４〜６のいずれか一項に記載のポータブルトイレ。
【請求項８】
第１面と、前記第１面に隣接し前記第１面に対し交差する角度をなす第２面とを下面に有する脚部に対し、前記下面に取り付けられる脚ゴムであって、
前記脚ゴムは板状であり、
板面のうち一方の面が、当該一方の面が内側になるように曲げられた状態で前記第１面と前記第２面とに当接される当接面であり、
前記板面のうち他方の面が、前記当接面が前記下面に当接された状態において、前記第１面が床面に対向配置されたときに前記床面に接地される第１接地面、及び前記第２面が前記床面に対向配置されたときに前記床面に接地される第２接地面を有する接地面であり、
前記第１接地面のうち前記第２接地面側の端部、及び前記第１接地面のうち前記第１接地面と前記第２接地面との境界の長さ方向の一方の外側縁部の少なくともいずれかに、前記第１接地面から突出する突部が形成されていることを特徴とする脚ゴム。
【請求項９】
前記接地面の前記第１接地面と前記第２接地面との境界、及び前記当接面の前記境界に対応する位置の少なくとも一方に、前記境界の長さ方向へ延びる溝部が形成されている、請求項８に記載の脚ゴム。
【発明の詳細な説明】
【技術分野】
【０００１】
本発明は、ポータブルトイレ及び脚ゴムに関し、詳しくは、開脚状態から閉脚状態に折り畳み可能なポータブルトイレ及び当該ポータブルトイレの脚部に取り付ける脚ゴムに関する。
【背景技術】
【０００２】
従来、ポータブルトイレとしては、不使用時に折り畳むことが可能な折り畳み式のポータブルトイレが提案されている（例えば、特許文献１及び特許文献２参照）。特許文献１に記載のポータブルトイレは、折り畳み椅子の座部にバケツを着脱自在な構成を有しており、トイレとしての使用時には、座部にバケツを取り付けて使用される。また、トイレとして使用しないときには、バケツを取り外した後に座部を背部側に引き上げることにより、折り畳み椅子が折り畳まれた状態になる。
【０００３】
特許文献２に記載のポータブルトイレは、開脚状態では、前後左右に設けられた４本の脚で便座本体を支持し、閉脚状態では、便座本体及び前脚が、背もたれ部及び後脚に対して前後方向で重なるように、バケツを取り外した状態で折り畳まれる。特許文献２に記載のポータブルトイレは、折り畳み状態では後脚で自立する。
【先行技術文献】
【特許文献】
【０００４】
【特許文献１】特許第３４６５２２９号公報
【特許文献２】特許第５８７２００３号公報
【発明の概要】
【発明が解決しようとする課題】
【０００５】
特許文献１に記載のポータブルトイレは、折り畳まれた状態で自立することができないため、ポータブルトイレを収納、保管する際に、壁や家具等にもたれかけさせる必要が生じる。この場合、ポータブルトイレを収納、保管する場所が制限され、使用者が直ちにトイレを使用できない場所、例えばベッドから遠い場所にポータブルトイレを置く必要が生じることが懸念される。また、特許文献２に記載のポータブルトイレは、閉脚状態では後脚のみで自立するため、安定性に劣る。
【０００６】
ポータブルトイレを閉脚状態で安定に自立させるためには、各脚の下面に、開脚した状態での接地面と、閉脚した状態での接地面とを設け、閉脚状態では全ての脚でトイレ本体部を支えるようにすることが考えられる。しかしながら、開脚状態の接地面と、閉脚状態の接地面とを各脚の下面に設ける場合、開脚状態の接地面と閉脚状態の接地面とを共通にする場合と比較して、開脚状態での接地面積が小さくなる。かかる場合、開脚した状態での安定性が低下することが考えられる。
【０００７】
本発明は上記課題に鑑みなされたものであり、開脚状態及び閉脚状態の双方で安定性が良好な折り畳み可能なポータブルトイレを提供することを一つの目的とする。
【課題を解決するための手段】
【０００８】
上記課題を解決すべく、第１の発明のポータブルトイレは、左右一対の前脚部と、左右一対の後脚部とを有する脚体部と、バケツを受けることが可能な受け部と、前記受け部の上方に配置される便座とを有するトイレ本体部と、を備える。前記脚体部は、前記前脚部の下部と前記後脚部の下部とが離間した開脚状態から、前記前脚部の下部と前記後脚部の下部とが接近した閉脚状態へ折り畳み可能であり、各脚の下端に、前記開脚状態での接地面である第１接地面と、前記閉脚状態での接地面である第２接地面とを有し、前記開脚状態において、側面視して前記第１接地面における前後方向の外側縁部の下端が内側縁部の下端よりも下方に位置している状態、及び正面視して前記第１接地面における左右方向の外側縁部の下端が内側縁部の下端よりも下方に位置している状態の少なくともいずれかとなっていることを特徴とする。
【０００９】
脚体部の各脚の下端に第１接地面と第２接地面とを設ける場合、第２接地面を設けない場合に比べて第１接地面の接地面積が小さくなり、開脚状態での安定性が低下することが考えられる。この点、上記構成によれば、開脚状態では、第１接地面のうち前後方向又は左右方向の外側縁部を接地させやすくすることができる。この場合、前後方向又は左右方向における接地部分の離間距離をできるだけ長くすることができ、ポータブルトイレの重心を低い位置に定めることができる。その結果、開脚状態での安定性を確保することができる。また、閉脚状態では、前脚部及び後脚部の下部が接地されることから、閉脚状態での安定性の良好である。したがって、上記構成によれば、開脚状態及び閉脚状態の双方で安定性の高いポータブルトイレとすることができる。
【００１０】
上記構成において、前記第１接地面が前記第２接地面よりも広くなっていてもよい。第１接地面を第２接地面よりも広くすることで、開脚状態において脚体部の接地面積が十分に確保され、使用者が着座したときの安定性をより高めることが可能になる。一方、製品ばらつき等により脚体部に僅かながたつきが生じることがあり、かかる場合、そのがたつきは、第１接地面を広くすることによって大きくなりやすい。この点、本構成では、開脚状態では、第１接地面のうち前後方向又は左右方向の外側縁部が接地されやすくなっていることから、ポータブルトイレの重心をより低い位置に定めることができる。これにより、脚体部のがたつきを好適に抑えることができる。
【００１１】
上記構成において、前記閉脚状態で前記前脚部と前記後脚部とで自立可能であり、前記第２接地面が前記第１接地面よりも前後方向の外側に設けられていてもよい。第２接地面を第１接地面よりも前後方向の外側に設けることで、閉脚状態では、接地部分の前後方向の離間距離をできるだけ長くすることができ、安定して自立させることができる。また、開脚状態では、第１接地面のうち前後方向又は左右方向の外側縁部が接地されやすくなっていることから、重心を低い位置に定めることができる。つまり、第１接地面が第２接地面よりも内側に位置している状態でも、使用者が着座したときの安定性を確保することができる。したがって、上記構成によれば、開脚時の安定性と閉脚時の安定性とを両立することができる。
【００１２】
上記構成において、前記脚体部は、各脚の下端に板状の脚ゴムを有し、前記脚ゴムの下面によって前記第１接地面及び前記第２接地面が形成されていてもよい。脚体部の各脚に別部材を取付ける構成とすることにより、開脚状態で第１接地面のうち前後方向又は左右方向の外側縁部を接地させやすくする状態を容易に形成することができる。また、ゴム部材とすることにより、安定性確保の機能と滑り止め機能との両者を有するものとすることができる。
【００１３】
上記構成において、前記脚ゴムは、側面視して前記第１接地面の前後方向の外側縁部、及び正面視して前記第１接地面の左右方向の外側縁部の少なくとも一方に、下方に突出する突部を有していてもよい。ゴムによって形成された突部を有するものとすることで、開脚した状態では、ゴムの弾性変形によって脚体部のがたつきを抑えながらトイレ本体を支持することができる。また、前記第１接地面の前後方向の外側縁部に突部を設けた場合には、開脚するときに、第１接地面のうち前後方向の外側縁部を最初に床面に接地させやすくすることができ、閉脚状態から開脚状態への過程のできるだけ早い段階から安定性を確保することができる。
【００１４】
上記構成において、前記突部は、前記第１接地面の前後方向の外側縁部において左右方向に延びるか、又は前記第１接地面の左右方向の外側縁部において前後方向に延びる突条部であってもよい。ポータブルトイレの折り畳み時及び開脚の動作時には、第１接地面が床面に擦られたり床面に当接されたりしやすく、経年に伴い突部の高さが小さくなることが考えられる。この点に鑑み、突部を突条部とすることにより、強度や耐久性の点で優れている。これにより、脚ゴムによる開脚状態での安定性確保の機能を長く維持することができる。
【００１５】
上記構成において、前記脚ゴムの下面のうち前記第１接地面と前記第２接地面との境界、及び前記脚ゴムの上面のうち前記境界に対応する位置の少なくとも一方に、前記境界の長さ方向へ延びる溝部が形成されていてもよい。溝部を有することにより、脚ゴムを第１接地面と第２接地面との境界部分で曲げやすく、脚体部の本体形状に沿うようにして簡単に取り付けることができる。
【００１６】
第２の発明の脚ゴムは、第１面と、前記第１面に隣接し前記第１面に対し交差する角度をなす第２面とを下面に有する脚部に対し、前記下面に取り付けられる脚ゴムである。前記脚ゴムは板状であり、板面のうち一方の面が、当該一方の面が内側になるように曲げられた状態で前記第１面と前記第２面とに当接される当接面であり、前記板面のうち他方の面が、前記当接面が前記下面に当接された状態において、前記第１面が床面に対向配置されたときに前記床面に接地される第１接地面、及び前記第２面が前記床面に対向配置されたときに前記床面に接地される第２接地面を有する接地面であり、前記第１接地面のうち前記第２接地面側の端部、及び前記第１接地面のうち前記第１接地面と前記第２接地面との境界の長さ方向の一方の外側縁部の少なくともいずれかに、前記第１接地面から突出する突部が形成されていることを特徴とする。
【００１７】
ポータブルトイレの脚体部の各脚の下端に第１接地面と第２接地面とを設ける場合、第２接地面を設けない場合に比べて第１接地面の接地面積が小さくなり、開脚状態での安定性が低下することが考えられる。この点、上記構成によれば、ポータブルトイレの脚体部の各脚の下端に取り付けられた場合に、開脚状態では、第１接地面のうち前後方向又は左右方向の外側縁部を接地させやすくすることができる。この場合、前後方向又は左右方向における接地部分の離間距離をできるだけ長くすることができ、ポータブルトイレの重心を低い位置に定めることができる。その結果、開脚状態での安定性を確保することができる。
【図面の簡単な説明】
【００１８】
【図１】開脚状態のポータブルトイレにおいて座部を下げた状態を示す斜視図。
【図２】開脚状態のポータブルトイレにおいて座部を上げ、左側の肘掛け本体を跳ね上げた状態を示す斜視図。
【図３】開脚状態のポータブルトイレにおいて便座を上げ、バケツの蓋を取り外した状態を示す斜視図。
【図４】開脚状態のポータブルトイレにおいてバケツを取り外した状態を示す斜視図。
【図５】開脚状態のポータブルトイレにおいてトレイを取り外した状態を示す斜視図。
【図６】開脚状態のポータブルトイレにおいて収容部を取り外した状態を示す斜視図。
【図７】開脚状態のポータブルトイレの右側面図。
【図８】脚体部と本体フレームとの連結部分の拡大斜視図。
【図９】開脚状態のポータブルトイレを右斜め後方から見た斜視図。
【図１０】折り畳み状態のポータブルトイレを左斜め前方から見た斜視図。
【図１１】折り畳み状態のポータブルトイレを左斜め後方から見た斜視図。
【図１２】折り畳み状態のポータブルトイレの右側面図。
【図１３】折り畳む際の保持部と座部との位置関係の推移を示す図。
【図１４】脚体部の下端部を右側方から見た拡大図。
【図１５】脚ゴムの斜視図。
【図１６】開脚時の接地状態の推移を示す右側面図。
【図１７】他の実施形態の脚体部の下端部を正面から見た拡大図。
【発明を実施するための形態】
【００１９】
以下、本実施形態のポータブルトイレについて図面を参照しつつ説明する。なお、以下の説明では便宜上、便座に腰掛けた使用者から見た方向を基準にして前後、左右及び上下を示している。図中に示すＦ，Ｂ，Ｒ，Ｌは、それぞれ、ポータブルトイレの前方、後方、右側、左側を表す。本実施形態のポータブルトイレは、例えば介護用であり、ベッド脇等の室内に置かれて用いられる。なお、このポータブルトイレは、介護用トイレや簡易トイレ等とも称される。本実施形態のポータブルトイレは折り畳み可能であり、開脚した状態で使用され、不使用時には折り畳んでコンパクトにすることが可能である。
【００２０】
ポータブルトイレ１０は、図１〜図７に示すように、脚体部１１と、脚体部１１によって支持されるトイレ本体部４０と、を備える。以下においては、特に説明がない場合、開脚状態のポータブルトイレ１０の構成をいうものとする。
【００２１】
≪脚体部１１≫
脚体部１１は、左右一対の前脚部１２と、左右一対の後脚部１３とを備える。前脚部１２は、前方に傾斜するように形成されている。本実施形態では、前脚部１２は、木製の長尺板材からなる前脚本体２１を備えている。前脚部１２は、互いの前脚本体２１の板面を向き合わせた状態で左右に離間して配置されている。
【００２２】
前脚部１２の下端よりも上には、各前脚部１２を連結する板状の連結部２３が設けられている。連結部２３は、トイレ本体部４０の下方に配置されている。この連結部２３によって各前脚部１２が連結されることで、使用者の着座等によって前脚部１２に力が掛かった場合にも、ポータブルトイレ１０の開脚状態をより安定に保持できる。連結部２３は、ポータブルトイレ１０の開脚状態において、連結部２３の板面のうち前面２３ａが斜め下方に向き、後面２３ｂが斜め上方を向いた状態で前脚本体２１に取り付けられている。
【００２３】
前脚部１２は、高さ調整部２４を有している。高さ調整部２４は、木製の長尺板材からなり、各前脚部１２の下部に、前脚本体２１に対して着脱可能に取り付けられている。この高さ調整部２４の前脚本体２１に対する高さ方向の位置を調整することにより、トイレ本体部４０の床面からの高さを調整可能になっている。本実施形態では、前脚本体２１の下部の板面に、複数個のネジ孔２１ｃが上下に並べて所定間隔で設けられている。これら複数個のネジ孔２１ｃのいずれかに対して、高さ調整部２４の板面に形成されたネジ孔２４ａが重なるように、かつトイレ本体部４０が所望の高さになるように、高さ調整部２４を前脚本体２１の外側から位置決めした上でネジ止め等することにより、トイレ本体部４０の高さが調整される。
【００２４】
後脚部１３は、後方へ傾斜するように形成されている。本実施形態では、後脚部１３は、木製の長尺板材からなる後脚本体２２を備えている。各後脚部１３は、その上端部が、前脚部１２の高さ方向の中間部に回動軸２５を介して連結されている。これにより、脚体部１１は、前脚部１２の下部と後脚部１３の下部とが離間した開脚状態と、前脚部１２の下部と後脚部１３の下部とが接近した閉脚状態との間で変形可能になっている。閉脚状態では、前脚部１２の下部と後脚部１３の下部とが接近することにより、脚体部１１が折り畳まれた状態となる。後脚部１３の下端よりも上には、各後脚部１３を連結する板状の連結部２７が設けられている。
【００２５】
後脚部１３は、高さ調整部２６を有している。高さ調整部２６は、木製の長尺板材からなり、各後脚部１３の下部に、後脚本体２２に対して着脱可能に取り付けられている。この高さ調整部２６の後脚本体２２に対する高さ方向の位置を調整することにより、トイレ本体部４０の床面からの高さを調整可能になっている。本実施形態では、前脚部１２と同じく、後脚本体２２の下部に上下に並べて形成された複数個のネジ孔のいずれかと、高さ調整部２６に形成されたネジ孔とが重なるように高さ調整部２６の高さ方向の位置を調整し、ネジ止め等することにより、トイレ本体部４０の高さが調整される。
【００２６】
図７に示すように、後脚部１３は、下側部分１３ａと上側部分１３ｂとを有しており、これらが弧状につながっている。具体的には、後脚部１３は、開脚状態で側方視したとき、下側部分１３ａは直線的であり、上側部分１３ｂは上方へ凸となる緩やかな弧状であり、これら両者が、上側部分１３ｂよりも湾曲された弧状部分でつながっている。また、上側部分１３ｂの鉛直方向に対する傾斜は、下側部分１３ａよりも大きい。これにより、ポータブルトイレ１０の閉脚状態では後脚部１３の下端の前後幅が小さくなり、コンパクトに折り畳むことができるようになっている。また、閉脚状態では、前脚部１２及び後脚部１３は、前後に並んで略平行に配置される（図１２参照）。
【００２７】
脚体部１１の各脚の下面には、開脚状態での接地面である第１接地面３９ａと、閉脚状態での接地面である第２接地面３９ｂとが形成されている。本実施形態では、側方視において、高さ調整部２４，２６の下面が前脚本体２１及び後脚本体２２の下面よりも下方に位置しており、高さ調整部２４，２６側に第１接地面３９ａ及び第２接地面３９ｂが形成されている。
【００２８】
＜規制部＞
脚体部１１には、所定の開脚状態において前脚部１２の下部と後脚部１３の下部とがそれ以上離間しないように規制する規制部が設けられている。本実施形態では、規制部として、前脚部１２と後脚部１３との間に前後方向に架け渡された連結アーム２８と、前脚部１２及び後脚部１３の一方の脚に設けられ、他方の脚に当接する脚当接部１８と、が設けられている。
【００２９】
連結アーム２８は、第１連結バー２８ａと第２連結バー２８ｂとを有している。第１連結バー２８ａの一端は、前脚部１２に回動可能に連結されており、第２連結バーの一端は後脚部１３に回動可能に連結されている。第１連結バー２８ａの他端と、第２連結バー２８ｂの他端とは、前脚部１２と後脚部１３との間の前後方向の中間部で回動可能に連結されている。この連結アーム２８により、ポータブルトイレ１０が開脚した状態では、前脚部１２と後脚部１３とが所定の角度以上に開かないようになっている。
【００３０】
脚当接部１８は、図７に示すように、後脚部１３の内側板面に所定高さで取り付けられており、前脚部１２の後部に当接する当接面１８ａを有する。脚当接部１８は、例えばネジ止め等により後脚部１３に固定されている。ポータブルトイレ１０の開脚状態では、前脚部１２の後面と、脚当接部１８に設けた当接面１８ａとが当接する。この当接により、前脚部１２の下部と後脚部１３の下部とがそれ以上離間しないように規制される。
【００３１】
≪トイレ本体部４０≫
トイレ本体部４０は、各前脚部１２及び各後脚部１３で挟まれた位置に配置されている。トイレ本体部４０は、バケツ５０を受けることが可能な受け部６０と、受け部６０の上方に配置される便座７０と、便座７０の上方に重ねられて便座７０を覆う座部８０とを備えている。
【００３２】
＜受け部６０＞
受け部６０は、本体フレーム６１と、バケツ５０を収容する収容部６２と、収容部６２の上部に配置されるトレイ６３とを備える。
【００３３】
（本体フレーム６１）
本体フレーム６１は、収容部６２及びトレイ６３を支持する部材であり、本実施形態では、図６に示すように、前後及び左右のそれぞれに上方に向けて立ち上がる側壁６１ａを有する平面視四角形の木製の枠である。本体フレーム６１は、脚体部１１に対して回動可能に支持されている。本実施形態では、本体フレーム６１は、左右両側で、前脚部１２及び後脚部１３のそれぞれに対して回動可能に連結されている。
【００３４】
図８は、脚体部１１と本体フレーム６１との連結部分を拡大した斜視図である。なお、図８では便宜上、前脚部１２及び後脚部１３を二点鎖線で示している。図８に示すように、本体フレーム６１は、前脚部１２の高さ方向の中間部において、連結板６４を介して各前脚部１２に連結されている。連結板６４は、本体フレーム６１の左右側面にそれぞれ設けられている。具体的には、連結板６４の一端は、本体フレーム６１の左右の側壁６１ａに回動軸６４ａを介して連結されており、連結板６４の他端は、前脚部１２の内側板面に回動軸６４ｂを介して連結されている。連結板６４の両端の回動軸６４ａ，６４ｂの高さ位置は略同じとなっている。
【００３５】
本体フレーム６１は、連結部材６５を介して、各後脚部１３に対し回動可能に連結されている。連結部材６５は、本体フレーム６１の両側面に設けられている。本実施形態では、連結部材６５は、上下方向に延びる形状を有し、その上端部は、本体フレーム６１の側面に回動軸６５ａを介して連結され、下端部は、ネジ止め等によって後脚部１３に固定されている。連結部材６５の回動軸６５ａの高さ位置は、連結板６４の両端の回動軸６４ａ，６４ｂと略同じ高さ位置となっている。
【００３６】
本体フレーム６１は、連結板６４の回動軸６４ａ，６４ｂ及び連結部材の回動軸６５ａにより、本体フレーム６１が前後方向に延びる横向きの状態と、本体フレーム６１が上下方向に延びる縦向きの状態とに姿勢の変更が可能になっている。本体フレーム６１の側面には、連結部材６５の後方位置に、側方に突出する突出部６６が形成されている。本体フレーム６１が縦向きに配置されると、連結部材６５の後面と突出部６６とが当接する。これにより、本体フレーム６１が縦向きに配置されたときに本体フレーム６１がそれ以上回動しないように、本体フレーム６１の回動が規制される。
【００３７】
ポータブルトイレ１０には、開脚した状態において、本体フレーム６１の横向きの状態が保持されるように本体フレーム６１を支持する本体支持部６７が設けられている。本実施形態では、本体支持部６７は、本体フレーム６１を下方から支持する部材であり、左右側方にそれぞれ設けられている。図７及び図８に示すように、本体支持部６７は、前脚部１２の内側板面に、例えばネジ止め等により取り付けられている。本体支持部６７の取付け高さは、本体支持部６７の上部の水平面６７ａが、本体フレーム６１が水平な状態で、本体フレーム６１の左右の側壁６１ａの下面に当接可能な高さ位置となっている。脚体部１１の開脚状態では、本体フレーム６１の下面と、本体支持部６７の上部の水平面６７ａとが当接することにより、本体フレーム６１の横向きの状態が保持される。
【００３８】
本体フレーム６１には、本体フレーム６１が縦向きに配置された状態を保持するストラップ５５が取り付けられている。ストラップ５５は、帯部５６と、帯部５６の一端に設けられ本体フレーム６１に固定される固定部５７と、帯部５６の他端に設けられ先端を折り返して形成された輪部５８とを備えている。ストラップ５５は、本体フレーム６１のうち左右いずれかの側壁６１ａに取り付けられている。なお、便宜上、図１にのみストラップ５５を図示している。本体フレーム６１が縦向きに配置された状態で、ストラップ５５の輪部５８を、脚体部１１の上部に設けられた突出部５９に引っ掛けることにより、本体フレーム６１の下方への回動が規制され、本体フレーム６１が縦向きに配置された状態が保たれる。
【００３９】
（収容部６２）
収容部６２は、上部が開口した有底の容器であり、バケツ５０を収容可能な大きさを有している。収容部６２は「汚水受け」とも称される。図５に示すように、本実施形態では、収容部６２は、矩形の底部６２ａと、底部６２ａの周縁部から立ち上がる側壁部６２ｂとを有する例えば樹脂製の箱型容器である。側壁部６２ｂの上部には、開口部６２ｃが形成されている。側壁部６２ｂは、底部６２ａに向かうにつれて内側に傾斜した形状となっている。
【００４０】
収容部６２は、本体フレーム６１の内側に配設され、その配設状態で着脱可能に支持されている。本実施形態では、収容部６２の上部の周縁の左右のそれぞれに、側方に突出する爪部６２ｄが複数個ずつ（図５では２個ずつ）所定間隔をあけて設けられている。また、本体フレーム６１には、左右の側壁６１ａの上面であって、収容部６２の爪部６２ｄに対応する位置に、爪部６２ｄを引っ掛けることが可能な引っ掛け部６１ｅが設けられている。爪部６２ｄを引っ掛け部６１ｅに引っ掛けるようにして、収容部６２を本体フレーム６１の内側に上方から配設することにより、収容部６２が本体フレーム６１に組み付けられる。これにより、収容部６２は、本体フレーム６１が横向きの状態では開口部６２ｃを上方に向けた状態で本体フレーム６１に支持される。収容部６２が本体フレーム６１に支持された状態で、本体フレーム６１が上方へ回動して縦向きの状態になると、受け部６０が収容部６２の開口部６２ｃを後方に向けた状態に変化する。
【００４１】
（トレイ６３）
トレイ６３は、収容部６２の開口部６２ｃを覆うようにして、収容部６２の上部に配設される。その配設状態では、トレイ６３は、収容部６２によって着脱可能に支持されている。トレイ６３は「受け板」とも称される。トレイ６３の中央部には開口部６３ａが形成されており、開口部６３ａの周縁及びトレイ６３の外縁に、トレイ６３の上面６３ｂから上方に向けて周方向に連続して立ち上がる内側壁６３ｃ、外側壁６３ｄがそれぞれ設けられている。トレイ６３の前面中央には、下方に垂れる下垂部６３ｅが設けられている。この下垂部６３ｅが、収容部６２の前面上端に形成された凹み部と上下に組み合わされることで、収容部６２に対してトレイ６３が位置決めされる。
【００４２】
トレイ６３の周縁部には、外側底面から下方に向かって突出するピンが複数箇所（本実施形態では、トレイ６３の外側底面の前部左右の隅に１個ずつ）に設けられている。各ピンが、本体フレーム６１の上面に設けられたピン穴６１ｆに挿入されることで、トレイ６３が本体フレーム６１に対して着脱可能に組み付けられる。トレイ６３の後部には、便座７０のヒンジ７１を取り付ける基部６８が設けられている。
【００４３】
（バケツ５０）
バケツ５０は、使用者の排泄物を受ける容器であり、本実施形態では上部が開口した有底の容器である。バケツ５０は「汚物受け」とも称される。バケツ５０の上縁には、周方向に連続して外側に突出するフランジ５１が設けられている。バケツ５０は、トレイ６３の開口部６２ｃを通じて収容部６２に収容される。バケツ５０は、その収容状態で、フランジ５１がトレイ６３の内側壁６３ｃに引っ掛けられることで、トレイ６３に支持されている。バケツ５０が収容部６２に収容された状態では、トレイ６３の上面６３ｂは、バケツ５０の上端よりも低い位置に配置されている。バケツ５０の外側へ漏れた汚水は、内側壁６３ｃの外面を介してトレイ６３の上面６３ｂに受けられる。
【００４４】
バケツ５０の上縁には、傾倒可能な取っ手５２が取り付けられている。バケツ５０が収容部６２に収容された状態では、取っ手５２は、後方に倒されることによってバケツ５０の後方へ配置される。バケツ５０の開口部５３には、開口部５３を覆う蓋５４が上方から装着される。
【００４５】
＜便座７０＞
便座７０は、開口部７２を有し、その開口部７２が、トレイ６３の開口部６３ａと重なるようにして、受け部６０の上方、より具体的にはトレイ６３の上面に配置される。便座７０は、後方位置に設けられたヒンジ７１を介してトレイ６３に取り付けられている。これにより、便座７０は、図２に示すように、収容部６２の上面に横向きに配置された状態と、図３に示すように、収容部６２の上方に縦向きに配置された状態との間で回動可能になっている。なお、便座７０をトレイ６３に取り付ける構成に代えて、収容部６２又は本体フレーム６１に取り付ける構成としてもよい。
【００４６】
＜座部８０＞
座部８０は、便座７０の上方に重ねられた状態で上面８１が座面として使用されるものである。本実施形態では、座部８０は、クッション性を有して形成された矩形の部材である。座部８０は、トイレ本体部４０の後方位置で上方へ回動可能に支持されている。具体的には、座部８０は、本体フレーム６１にアーム８６を介して連結されている。このアーム８６の一端は、座部８０の後端部に回動軸を介して連結され、他端は、本体フレーム６１の後部に回動軸８７を介して連結されている。この回動軸８７により、座部８０は、上面８１が前後方向に延びている横向きの状態と、上面８１が上下方向に延びている縦向きの状態との間で姿勢変更が可能になっている。座部８０を上方へ回動すると、便座７０が露出し、トイレとしての使用状態となる。
【００４７】
図１に示すように、座部８０は、前後に分割された前部８２と後部８３とを有する。前部８２と後部８３とは、蝶番８４によって裏面で連結されている。これにより、座部８０は、前後方向の中間位置で、座部８０の上面８１を前後に向けた状態で折り畳み可能になっている。折り畳まれた状態の座部８０は、図２に示すように、トイレ本体部４０の後方位置で、座部８０の上面８１を前後に向けた状態で起立するようにして配置される。本実施形態では、後述する背もたれ部９０の下方に形成された空間部９１に、折り畳まれた座部８０が配置される。
【００４８】
座部８０の上面８１には取っ手８５が取り付けられている。本実施形態では、取っ手８５は、前後方向に延びる帯状の部材であり、座部８０の前部８２に設けられている。使用者は、取っ手８５を片手で持つか又は取っ手８５と上面８１との間に片手を挿入して座部８０を中間位置で折り畳み、そのまま後方に移動させることができる。つまり、使用者は片手での操作によって、便座７０やトレイ６３に手が触れないようにして、椅子としての使用状態からトイレとしての使用状態にすることができる。
【００４９】
トイレ本体部４０においては、本体フレーム６１が脚体部１１に回動可能に支持されており、その本体フレーム６１に、収容部６２及びトレイ６３が着脱可能に配設されているとともに、便座７０及び座部８０が回動可能に支持されている。これにより、トイレ本体部４０の回動により、トイレ本体部４０が横向きに配置される状態と、トイレ本体部４０が縦向きに配置される状態との間で姿勢変更が可能になっている。
【００５０】
ポータブルトイレ１０は、更に、着座した使用者の背中が当接される背もたれ部９０と、使用者の手や腕が載置される肘掛け部９２と、閉脚状態で受け部６０がバケツ５０を受けた状態を保持する保持部７５と、を備えている。
【００５１】
≪背もたれ部９０≫
背もたれ部９０は、各前脚部１２の上端部の間に架け渡されている。背もたれ部９０は、開脚状態においてトイレ本体部４０の後方位置で上方に配置されている。本実施形態では、背もたれ部９０は、少なくとも前面がクッション性を有して形成された長尺形状の部材が、各前脚部１２の内側板面のそれぞれに対してネジ止め等により固定されている。背もたれ部９０の下方には空間部９１が形成されている。この空間部９１は、背もたれ部９０と各前脚部１２と座部８０とにより囲まれた内側空間となっている。また、空間部９１は、前部８２と後部８３との間で折り畳まれた状態の座部８０が入り込むことが可能な大きさとなっている。
【００５２】
≪肘掛け部９２≫
肘掛け部９２は、前後方向に沿って延びる肘掛け本体９３と、肘掛け本体９３を回動可能に支持する回動支持部９４とを備えている。肘掛け本体９３は、トイレ本体部４０の後方位置から前方に延びる断面矩形の細長い木製の部材であり、左右両側に設けられている。肘掛け本体９３の上面９３ａは、使用者の手や腕が載置される載置面となっている。図１〜図７に示す例では、右側の肘掛け本体９３の下面には、下方に突出する支柱９９が設けられており、この支柱９９にトイレットペーパーホルダー９５が取り付けられている。
【００５３】
回動支持部９４は、前脚部１２の左右の外側板面に取り付けられている。図２に示すように、回動支持部９４の上面は略水平面であり、前後方向に沿って延びている。回動支持部９４の上面は、肘掛け本体９３の下面が当接される当接面となっており、その当接状態において肘掛け本体９３を下方から支持する。
【００５４】
回動支持部９４の後部には、肘掛け本体９３が回動軸９６を介して支持されている。本実施形態では、肘掛け本体９３は、肘掛け本体９３の下面が回動支持部９４の上面に当接した状態から、回動軸９６を中心に回動することによって、肘掛け本体９３の前端部９３ｂが上方に位置した状態に跳ね上げられる。また、その跳ね上げ状態からさらに回動可能になっている。より具体的には、肘掛け本体９３の前端部９３ｂが下方に位置した状態になるまで回動可能になっている。肘掛け本体９３の前端部９３ｂが下方に位置した状態では、肘掛け本体９３の上面９３ａが、回動支持部９４の後面９４ａに当接し、それ以上の回動が規制される。回動支持部９４によって肘掛け本体９３が跳ね上げ可能になっていることにより、使用者が例えばベッドからポータブルトイレ１０の座部８０又は便座７０に側方から腰掛けたり、座部８０又は便座７０から側方に立ち上がったりする、いわゆる横移乗が容易となっている。
【００５５】
図２に示すように、肘掛け本体９３の下面には、回動支持部９４の前端部に設けられた被係止部９７に係止可能なロック機構９８が設けられている。このロック機構９８により、肘掛け本体９３の回動が規制された固定状態と、肘掛け本体９３が回動可能な非固定状態との間で変更可能になっている。回動支持部９４は、前脚部１２の外側板面に対して着脱可能に取り付けられている。したがって、回動支持部９４の前脚部１２に対する高さ方向の位置を調整することにより、肘掛け本体９３の高さを調整可能になっている。本実施形態では、前脚部１２の板面において異なる高さ位置に形成された複数のネジ孔のいずれかと、回動支持部９４に設けられたネジ孔とが重なるように回動支持部９４の高さ方向の位置を調整し、ネジ止め等することにより肘掛け本体９３の高さが調整される。
【００５６】
≪保持部７５≫
保持部７５は、受け部６０に収容されたバケツ５０が開口部５３を後方に向けた状態となったときに、受け部６０がバケツ５０を受けた状態を保持する。こうした保持部７５を備えることにより、トイレ本体部４０を縦向きに配置した状態では、バケツ５０が後ろ方向に飛び出るのを抑制することができる。
【００５７】
保持部７５は、トイレ本体部４０の後方に設けられており、開脚状態では座部８０の座面の下方に位置している。本実施形態では、図９に示すように、保持部７５は、各前脚部１２の間に設けられた線条体７６と、線条体７６に設けられた回転体７７と、を有している。
【００５８】
線条体７６は、例えば金属製又は樹脂製であり、図９に示すように、各前脚部１２から後ろ斜め下方に延びる側方部７６ａ，７６ｂと、側方部７６ｂ，７６ｂの下端を連結する連結部７６ｃと、を有している。側方部７６ａ，７６ｂの上端は、前脚部１２の板面に外側から回動可能に取り付けられている。側方部７６ａ，７６ｂは、回動範囲が規制されており、前脚部１２に対して上方へ所定位置まで回動すると、それ以上回動しないようになっている。連結部７６ｃは、ポータブルトイレ１０の開脚状態では、座部８０が便座７０の上方に重ねられた状態において座部８０の座面よりも下方に位置している。
【００５９】
回転体７７は、例えば樹脂製であり、連結部７６ｃに回動可能に取り付けられている。図７に示すように、回転体７７は、開脚状態では自重によって座部８０の座面に対して後方下方の位置に位置している。なお、本実施形態では、連結部７６ｃには２個の回転体７７を設けているが、回転体７７は１個でもよく、３個以上としてもよい。
【００６０】
≪ポータブルトイレ１０の動作≫
次に、ポータブルトイレ１０の動作について説明する。図１０は、折り畳み状態のポータブルトイレ１０を左斜め前方から見た斜視図であり、図１１は、折り畳み状態のポータブルトイレ１０を左斜め後方から見た斜視図である。図１２は、折り畳み状態のポータブルトイレ１０の右側面図である。
【００６１】
上述したように、脚体部１１は、前脚部１２の下部と後脚部１３の下部とが離間した開脚状態から、前脚部１２の下部と後脚部１３の下部とが接近した閉脚状態へ折り畳み可能である。また、トイレ本体部４０は、受け部６０がバケツ５０の開口部５３を上方に向けた状態でバケツ５０を受ける横向きの状態と、受け部６０がバケツ５０の開口部５３を後方に向けた状態でバケツ５０を受ける縦向きの状態との間で姿勢を変更可能である。本実施形態では、トイレ本体部４０が横向きの状態から縦向きの状態になる動作と、脚体部１１が開脚状態から閉脚状態になる動作とが連動して行われる。
【００６２】
具体的には、図８に示すように、前脚部１２は連結板６４を介して本体フレーム６１に連結されており、後脚部１３は回動軸６５ａを介して本体フレーム６１に連結されている。本体フレーム６１が上方に回動されて縦向きの配置になると、それに連動して、前脚部１２の下部と後脚部１３の下部とが互いに引き寄せられ、両者は接近する。その結果、ポータブルトイレ１０は、図１０〜図１２に示す折り畳み状態となる。ポータブルトイレ１０が折り畳まれた状態では、脚体部１１の各脚では第２接地面３９ｂがそれぞれ接地することにより、バケツ５０や収容部６２を備えたままの状態で安定して自立する。
【００６３】
ここで、ポータブルトイレ１０においては、トイレ本体部４０の回動経路にトイレ本体部４０の障害物となる部材は存在せず、バケツ５０を受け部６０により受けている状態でのトイレ本体部４０の回動経路が確保されている。そのため、バケツ５０や収容部６２を取り外さずに折り畳み状態とすることができる。
【００６４】
図１１に示すように、脚体部１１が閉脚した状態では、トイレ本体部４０の少なくとも一部が、背もたれ部９０の下方の空間部９１に入り込んだ状態となる。これにより、折り畳み状態での前後方向の厚みをできるだけ薄くすることができる。脚体部１１が折り畳まれた状態では、便座７０と共に受け部６０の上部に重ねられた状態の座部８０が、背もたれ部９０の下方を通過可能になっている。本実施形態では、図１１に示すように、折り畳み状態では、保持部７５によって座部８０が押さえられることで、受け部６０がバケツ５０を受けたまま、かつ座部８０が便座７０に重ねられたままの状態が保持される。保持部７５の作用については後に詳述する。
【００６５】
ポータブルトイレ１０を折り畳む際には、使用者や介助者は、まず、図１に示すように、便座７０及び座部８０を受け部６０の上方に重ねた状態とする。続いて、肘掛け本体９３を跳ね上げ、さらに後ろ下方に回動させることにより、肘掛け本体９３を水平の状態から、トイレ本体部４０の後方位置で下方を向いた状態とする。次に、使用者等は、片方の手を背もたれ部９０の後方に回し、背もたれ部９０の後面に片手を添えるとともに、もう一方の手を、本体フレーム６１の前方の側壁６１ａの下部に添え、背もたれ部９０とトイレ本体部４０の前方とを接近させるようにトイレ本体部４０を上方へ回動させる。これにより、トイレ本体部４０が縦向きになるとともに、その動作に連動して脚体部１１が折り畳まれる。ポータブルトイレ１０が折り畳まれた状態でストラップ５５を突出部５９に引っ掛けることにより、折り畳み状態が安定に保持される。
【００６６】
折り畳み状態のポータブルトイレ１０を開脚するときには、使用者や介護者は、まず、ストラップ５５の輪部５８を突出部５９から取り外す。次に、背もたれ部９０と本体フレーム６１の前方とを離間させるように、トイレ本体部４０を下方へ回動させる。このとき、本体フレーム６１の前方の側壁６１ｃの下部に添えるか、あるいはストラップ５５を掴んだ状態で、トイレ本体部４０の下方への回動がゆっくりと行われるように補助するとよい。開脚した後では、自重により、便座７０及び座部８０が受け部６０の上方に重ねられた状態が自然に形成される。したがって、開脚した後に直ちに椅子として機能させることができる。また、座部８０を回動させて後方へ退避させれば、トイレとして機能させることができる。
【００６７】
≪保持部７５の作用≫
次に、保持部７５の作用について詳しく説明する。図１３は、ポータブルトイレ１０を折り畳む際の保持部７５の座部８０に対する位置の推移を示す図である。なお、図１３では、ポータブルトイレ１０を右側方から見ている。図１３中、（ａ）は開脚状態、（ｂ）及び（ｃ）は開脚状態から閉脚状態への途中の状態、（ｄ）は閉脚状態をそれぞれ示す。
【００６８】
保持部７５は、脚体部１１が開脚状態から閉脚状態になることに伴い、座部８０に対する相対位置が、座部８０の後方下方の非保持位置から、座部８０の座面の上方の保持位置に移動する。具体的には、図１３（ａ）に示すように、開脚状態では、保持部７５の自重により、回転体７７が座部８０の座面よりも下方に位置している。この位置が、保持部７５の非保持位置となっている。
【００６９】
この状態から、トイレ本体部４０が上方に回動されて、脚体部１１が開脚状態から閉脚状態に姿勢変更する過程では、図１３（ｂ）に示すように、回転体７７が座部８０の後端部に当接し、そのまま座部８０の後方から座面に乗り上げ、その後、図１３（ｃ）に示すように、線条体７６の回動が規制された状態で、回転体７７が座部８０の座面に沿って、座面に接触した状態のまま、かつ前方に回転しながら移動する。これにより、折り畳みの動作中では、座部８０が便座７０の上方を覆った状態が保持される。
【００７０】
そして、トイレ本体部４０が縦向きの状態となり、折り畳み状態となると、回転体７７が座面に接触したまま、より具体的には、回転体７７が座面を上から抑えた状態で、座部８０の座面の上方の所定位置に留まる（図１３（ｄ）参照）。本実施形態では、回転体７７が座部８０の中間位置、より具体的には前部８２側になる位置が、保持部７５の保持位置となっている。こうした保持部７５による座面上方からの抑えにより、折り畳み後に座部８０が後方に展開してしまうのが抑制され、バケツ５０やトレイ６３、収容部６２が後方に飛び出ることが抑制される。なお、回転体７７が、閉脚状態で座部８０の座面に接触する接触部に相当する。
【００７１】
≪脚体部１１の下端部の構成≫
次に、脚体部１１の下端部の構成について詳しく説明する。図１４は、開脚状態での脚体部１１の下端部の右側面図であり、図１５は、脚ゴム３０の斜視図である。図１４に示すように、前脚部１２及び後脚部１３のそれぞれの下面には、第１面２９ａと、第１面２９ａに対し交差する角度をなす第２面２９ｂとが設けられている。第１面２９ａと第２面２９ｂとは、前後方向に隣接して配置されている。第２面２９ｂは、第１面２９ａに対して前後方向の外側に配置されている。
【００７２】
第１面２９ａ及び第２面２９ｂの下面には、脚ゴム３０が取り付けられている。脚ゴム３０は、前脚部１２及び後脚部１３のそれぞれの下面に対し、第１面２９ａと第２面２９ｂとに跨って設けられている。本実施形態では、前脚部１２及び後脚部１３のうち、高さ調整部２４，２６の下面に脚ゴム３０が取り付けられている。
【００７３】
脚ゴム３０は、長尺板状のゴム部材である。脚ゴム３０の一方の板面は、脚体部１１の各脚の第１面２９ａ及び第２面２９ｂに当接される当接面３１であり、他方の板面は、当接面３１が第１面２９ａ及び第２面２９ｂに当接された状態で床面に接地される接地面３９となっている。接地面３９は、脚ゴム３０が前脚部１２及び後脚部１３の下面に取り付けられた状態で、第１面２９ａと平行な第１接地面３９ａと、第２面２９ｂと平行な第２接地面３９ｂとを有している。第１接地面３９ａは、脚体部１１の第１面２９ａが床面に対向配置されたときに床面に接地され、第２接地面３９ｂは、第２面２９ｂが床面に対向配置されたときに床面に接地される。第１接地面３９ａと第２接地面３９ｂとは隣接して配置されており、第１接地面３９ａは、第２接地面３９ｂよりも面積が大きくなっている。
【００７４】
第１接地面３９ａには、第２接地面３９ｂ側の端部に、第１接地面３９ａから突出する突部３２が形成されている。本実施形態では、図１５に示すように、突部３２は、第２接地面３９側の端部において、第１接地面３９ａと第２接地面３９ｂとの境界の長さ方向に沿って延びる突条部となっている。突条部は、第１接地面３９ａと第２接地面３９ｂとの境界の長さ方向の全域に亘って延びている。
【００７５】
図１５に示すように、脚ゴム３０の接地面３９には、第１接地面３９ａと第２接地面３９ｂとの境界に、当該境界の長さ方向へ延びる溝部３３が形成されている。溝部３３は、第１接地面３９ａと第２接地面３９ｂとの境界の長さ方向の全域に亘って形成されており、その溝部３３に隣接して突部３２が第１接地面３９ａに配置されている。脚ゴム３０は、当接面３１が内側になるように溝部３３で折り曲げられて、第１面２９ａ及び第２面２９ｂに取り付けられる。こうした溝部３３が板面に形成されていることにより、第１接地面３９ａと第２接地面３９ｂとの境界で脚ゴム３０を容易に折り曲げて、第１面２９ａ及び第２面２９ｂに取り付け可能になっている。
【００７６】
接地面３９には、厚み方向に貫通する貫通孔３４が形成されている。本実施形態では、貫通孔３４は、第１接地面３９ａ及び第２接地面３９ｂのそれぞれに１個ずつ設けられている。脚体部１１の第１面２９ａ及び第２面２９ｂには、下方に突出する突出部（図示略）がそれぞれ形成されている。突出部の高さは、脚ゴム３０の本体３５の厚みよりも小さくなっている。この突出部に対して、脚ゴム３０の貫通孔３４を嵌め込むことにより、前脚部１２及び後脚部１３の下面に脚ゴム３０を着脱可能になっている。
【００７７】
≪脚ゴム３０の作用≫
次に、脚ゴム３０を脚体部１１の各脚に取り付けたときの作用について説明する。
【００７８】
図１４に示すように、ポータブルトイレ１０には、第１接地面３９ａの前後方向の外側縁部に突部３２が設けられている。そのため、ポータブルトイレ１０が接地されていない状態で、開脚状態で側方視したとき、第１接地面３９ａにおける前後方向の外側縁部３８Ａの下端が、内側縁部３８Ｂの下端よりも下方に位置している。より具体的には、脚体部１１の前後両方の脚で、第１接地面３９ａにおける前後方向の外側縁部３８Ａの下端が、内側縁部３８Ｂの下端よりも下方に位置している。なお、図１４中の二点鎖線Ｌは、外側縁部３８Ａの下端の高さ位置を表している。
【００７９】
上記のように、外側縁部３８Ａの下端が、内側縁部３８Ｂの下端よりも下方に位置している場合には、開脚した状態では、第１接地面３９ａのうち前後方向の外側縁部３８Ａが接地されやすくなる。また、第１接地面３９ａの前後方向の外側縁部３８Ａが接地されやすいことによって、前後方向における接地部分の離間距離をできるだけ長くできる。よって、ポータブルトイレ１０の重心を低い位置に定めることができ、開脚状態での安定性の向上に寄与する。また、製品ばらつき等に起因して脚のがたつきが生じる場合にも、第１接地面３９ａのうち前後方向の外側縁部３８Ａを優先的に接地させることができる。その結果、開脚状態でのがたつきを抑制しつつ、安定性の向上を図ることができる。
【００８０】
図１６は、閉脚状態から開脚状態に姿勢変更するときの脚体部１１の下面の接地状態の推移を示す拡大側面図である。ここでは、後脚部１３について説明しているが、前脚部１２についても同様である。なお、図１６中、（ａ）は閉脚状態、（ｂ）は閉脚状態から開脚状態に姿勢変更する途中の状態、（ｃ）は閉脚状態をそれぞれ示している。
【００８１】
閉脚状態では、図１６（ａ）に示すように、第２接地面３９ｂが床面Ｇに接地された状態となる。この状態から開脚状態とするときには、第２接地面３９ｂとの接地状態から、第１接地面３９ａとの接地状態になる。ポータブルトイレ１０においては、第１接地面３９ａの前後方向の外側縁部３８Ａに突部３２が設けられているため、第１接地面３９ａが非接地状態から接地状態になるときには、第１接地面３９ａの外側縁部３８Ａが最初に接地されやすい（図１６（ｂ）参照）。また、開脚状態において使用者が着座している状態では、図１６（ｃ）に示すように、ゴムの弾性変形によって突部３２が潰れて、第１接地面３９ａが面で受けた状態で安定する。ただし、ポータブルトイレ１０の自重によって突部３２が潰れて第１接地面３９ａが面で受けた状態になってもよい。
【００８２】
以上詳述した本実施形態の構成によれば、以下の優れた効果が得られる。
【００８３】
ポータブルトイレ１０には、バケツ５０を受け部６０により受けている状態でのトイレ本体部４０の回動経路が確保されているため、バケツ５０を備えた状態で折り畳むことができる。また、閉脚状態では前脚部１２と後脚部１３とで自立可能であることから、折り畳み状態において、バケツ５０や収容部６２を備えたままの状態でも安定して自立することができる。
【００８４】
開脚状態においてトイレ本体部４０の横向きの状態が保持されるようにトイレ本体部４０を支持する本体支持部６７をポータブルトイレ１０に設けた。これにより、トイレ本体部４０を回動可能にしつつ、開脚状態としたときには、トイレ本体部４０の横向きの状態を安定に維持することができる。また、トイレ使用時に使用者によってトイレ本体部４０に上方から力が加えられた場合にも、本体支持部６７によって下方から支持されることにより、トイレ本体部４０の横向きの姿勢を安定に保持することができる。特に本実施形態では、本体支持部６７を前脚部１２の内側板面に設けたことから、本体フレーム６１をより前方位置で支持することができる。これにより、開脚状態においてトイレ本体部４０をより安定な横向き状態にしておくことができる。また、本体支持部６７を前脚部１２の内側板面に設けたことから、本体支持部６７が外から目立ちにくく外観も良好である。
【００８５】
所定の開脚状態において前脚部１２の下部と後脚部１３の下部とがそれ以上離間しないように規制する規制部として、連結アーム２８及び脚当接部１８を設けた。こうした規制部を有することにより、脚体部１１の最大開脚位置を定めることができる。これにより、使用者が着座してトイレ本体部４０に力が掛かった場合にも、ポータブルトイレ１０を所定の開脚状態で安定に維持することができる。
【００８６】
特に、脚当接部１８は、後脚部１３の内側板面に設けられており、前脚部１２の後面が当接面１８ａに当接することによって、前脚部１２の下部と後脚部１３の下部とがそれ以上離間しないように規制するため、所定の開脚状態から更に開脚することをより確実に規制することができ、安全性の面でも好ましい。また、後脚部１３の板面に固定したため、安定性及び耐久性にも優れている。さらに、脚当接部１８を後脚部１３の内側板面に設けたことから、外から目立ちにくく外観も良好である。
【００８７】
折り畳み時には、トイレ本体部４０の少なくとも一部が背もたれ部９０の下方の空間部９１に入り込むようにした。この場合、折り畳み状態では、背もたれ部９０の下方の空間部９１にトイレ本体部４０の少なくとも一部が入り込むため、折り畳んだ状態で前後方向の厚みをできるだけ薄くすることができる。これにより、折り畳んだ状態ではよりコンパクトにすることができる。
【００８８】
閉脚状態で受け部６０がバケツ５０を受けた状態を保持する保持部７５をポータブルトイレ１０に設けた。これにより、折り畳み状態としたときにバケツ５０が後方に飛び出るのを抑制することができる。また、開脚状態から閉脚状態になることに伴い、保持部７５が非保持位置から保持位置に移動するため、保持部７５の上記機能を折り畳みの動作に連動して発揮させることができる。これにより、使用者がわざわざ保持部７５を操作しなくても、折り畳み状態でバケツ５０が後方に飛び出ないようにすることができる。
【００８９】
ポータブルトイレ１０に座部８０を設けたため、トイレとして機能させるだけでなく、椅子としても機能させることができる。また、座部８０を回動させて後方へ退避させれば、直ちにトイレとして機能させることができる。また、保持部７５は、閉脚状態において座部８０を便座７０と重ねられた状態で保持するため、便座７０やバケツ５０の開口部５３が露出することなく、清潔感のある折り畳み状態とすることができる。
【００９０】
保持部７５は、少なくとも閉脚状態において座部８０の座面に接触する接触部として回転体７７を有し、開脚状態から閉脚状態に姿勢変更する過程において、回転体７７が座面に沿って移動することにより座部８０を便座７０と重ねられた状態で保持する。この場合、折り畳み状態となった後だけでなく、折り畳み状態になるまでの動作中も、座部８０が便座７０を覆った状態を保持することができる。これにより、トイレ使用時以外は終始、便座７０やバケツ５０の開口部５３を座部８０で覆っておくことができ、清潔感のある状態を保持することができる。
【００９１】
また、保持部７５に回転体７７を設け、回転体７７を接触部として機能させることから、開脚状態から閉脚状態に姿勢変更する過程において、接触部が座面に沿ってスムーズに移動することができる。これにより、保持部７５が座部８０の姿勢を保持する状態をスムーズに形成することができる。
【００９２】
保持部７５を線条体７６と回転体７７とを有する構成とし、線条体７６の回動を所定の回動範囲で規制するため、保持部７５が非保持状態から保持状態に移動する過程において、線条体７６の回動が許容されている初期では、回転体７７が座面上にスムーズに乗り上げるのを可能にしつつ、回転体７７が座面上に乗り上げた後では、線条体７６の回動を規制することにより、回転体７７が座部８０の座面を上から抑えた状態を維持させるようにすることができる。
【００９３】
各前脚部１２を連結する連結部２３を前脚部１２の下端よりも上に設け、かつ開脚状態において連結部２３の板面のうち前面２３ａは斜め下方に向いている。こうした構成とすることで、脚体部１１の強度を高めつつ、前脚部１２の下部に、より広い空間を確保することができる。これにより、トイレの使用者や介助者がトイレ前方から後ろ方向に足を踏み入れやすくすることができる。
【００９４】
また、開脚状態では、連結部２３の板面のうち前面２３ａが斜め下方に向いた状態とすることで、連結部２３の板面のうち後面２３ｂが斜め上方を向くため、トイレ本体部４０の設置領域を確保したり、トイレ本体部４０の回動経路を確保しやすくなったりすることにも寄与することができる。
【００９５】
収容部６２の側壁部６２ｂを、底部６２ａに向かうにつれて内側に傾斜した形状としたため、トイレ本体部４０を上方へ回動したときに、トイレ本体部４０が連結部２３に接触しにくくなる。よって、トイレ本体部４０の回動経路の確保に寄与することができる。
【００９６】
脚体部１１は、各脚の下端に、開脚状態での接地面である第１接地面３９ａと、閉脚状態での接地面である第２接地面３９ｂとを有する。この場合、トイレ使用時には、各脚の第１接地面３９ａが床面に接地されるため、使用者がトイレ本体部４０に体重を掛けた場合の安定性を確保できる。また、折り畳み状態では、各脚の第２接地面３９ｂが床面に接地されるため、前後左右の脚で安定して自立することができる。したがって、開脚状態及び閉脚状態の双方で安定性の高いポータブルトイレとすることができる。
【００９７】
開脚状態で側面視したときに、第１接地面３９ａにおける前後方向の外側縁部３８Ａの下端が、内側縁部３８Ｂの下端よりも下方に位置している。この場合、開脚状態では、第１接地面３９ａの少なくとも外側縁部３８Ａが接地された状態を形成することができ、重心をより低い位置に定めることができる。これにより、開脚状態での安定性を確保することができる。
【００９８】
特に、前脚部１２及び後脚部１３の開閉方向について、第１接地面３９ａの外側縁部の下端が内側縁部の下端よりも下方に位置している構成としたことから、脚の動きが許容されている方向に対する安定性を確保できる点で好適である。
【００９９】
製品ばらつき等による脚体部１１のがたつきは、第１接地面３９ａを広くすることによって大きくなりやすい。この点、第１接地面３９ａにおける前後方向の外側縁部３８Ａの下端を、内側縁部３８Ｂの下端よりも下方に位置するものとすることにより、重心をより低い位置に定めることができる。これにより、脚体部１１のがたつきを抑えることができる。
【０１００】
第２接地面３９ｂを第１接地面３９ａよりも前後方向の外側に設けたため、閉脚時により安定して自立させることができる。また、第１接地面３９ａは、脚体部１１が接地されていない状態で側面視して、外側縁部３８Ａの下端が、内側縁部３８Ｂの下端よりも下方に位置しているため、開脚時には重心を低い位置に定めることができ、使用者が着座したときの安定性を確保することができる。つまり、開脚時の安定性と閉脚時の安定性とを両立させることができる。
【０１０１】
脚体部１１は、各脚の下端に板状の脚ゴム３０を有し、脚ゴム３０の下面によって第１接地面３９ａ及び第２接地面３９ｂが形成されている。別部材である脚ゴム３０を用いることにより、第１接地面３９ａにおける前後方向の外側縁部３８Ａの下端が、内側縁部３８Ｂの下端よりも下方に位置する状態を容易に形成することができる。また、ゴム部材とすることにより、安定性確保の機能と滑り止め機能との両者を有するものとすることができる。
【０１０２】
脚ゴム３０は、第１接地面３９ａの前後方向の外側縁部３８Ａに、下方に突出する突部３２を有する。ゴムによって形成された突部３２を第１接地面３９ａの前後方向の外側縁部３８Ａに設けることで、開脚するときに第１接地面３９ａの外側縁部３８Ａを最初に床面に接地させやすくすることができる。これにより、閉脚状態から開脚状態への過程のできるだけ早い段階から安定性を確保することができる。また、開脚して第１接地面３９ａに上から力が掛かっている状態では、ゴムが弾性変形するため、突部３２を設けた場合にも、がたつきの発生を抑えながらトイレ本体部４０を脚体部１１で支持することができる。
【０１０３】
ポータブルトイレ１０の折り畳み及び開脚の動作時には、接地面３９が床面に擦られたり当接されたりしやすく、経年に伴い突部３２が小さくなることが考えられる。この点、突部３２を、第１接地面３９ａの前後方向の外側縁部３８Ａにおいて左右方向に延びる突条部としたため、強度や耐久性の点で優れている。よって、脚ゴム３０による開脚状態での安定性確保の機能を長期間維持することができる。
【０１０４】
脚ゴム３０の下面のうち第１接地面３９ａと第２接地面３９ｂとの境界に溝部３３を設けたため、脚ゴム３０を第１接地面３９ａと第２接地面３９ｂとの境界位置で曲げやすく、前脚部１２及び後脚部１３の下面の形状に沿うようにして簡単に取り付けることができる。
【０１０５】
（他の実施形態）
本発明は上記実施形態の内容に限定されず、例えば以下のように構成してもよい。
【０１０６】
・上記実施形態では、第１面２９ａに平行な第１当接面３９ａに対し、当該第１当接面３９ａの前後方向の外側縁部３８Ａに突部３２を設けることにより、開脚状態で側面視したときに、第１接地面３９ａにおける前後方向の外側縁部３８Ａの下端が、内側縁部３８Ｂの下端よりも下方に位置している状態としたが、当該状態を実現する構成はこれ以外であってもよい。例えば、脚ゴム３０に突部３２を設けずに、外側縁部３８Ａ側が内縁端部３８Ｂ側よりも厚くなるように脚ゴム３０の厚みを変えてもよいし、あるいは、脚ゴム３０の厚みを変えずに、各脚の第１面２９ａを、開脚状態で前後方向の外側が内側より地面に近くなるように傾斜させてもよい。また、脚ゴム３０の厚みと各脚の第１面２９ａとの両方を上記のようにすることにより、外側縁部３８Ａの下端が内側縁部３８Ｂの下端よりも下方に位置するようにしてもよい。また、脚ゴム３０に突部３２を設けるとともに、各脚の第１面２９ａを、開脚状態で前後方向の外側が内側より地面に近くなるように傾斜させる構成としてもよいし、当該構成に対して更に、外側縁部３８Ａ側が内縁端部３８Ｂ側よりも厚くなるように脚ゴム３０の厚みを変える構成を採用してもよい。
【０１０７】
・上記実施形態では、突部３２を、第１接地面３９ａと第２接地面３９ｂとの境界の長さ方向へ延びる突条部としたが、突部３２の構成はこれに限定されない。例えば、第１接地面３９ａと第２接地面３９ｂとの境界の長さ方向に沿って配置された複数の突起部としもよい。また、第１接地面３９ａと第２接地面３９ｂとの境界の長さ方向へ延びる突条部を、前後方向に並べて複数設けてもよい。あるいは、下面全体に突起部や突条部が存在し、全体として面接触しない構成としてもよい。この場合、突起部及び突条部の下方への突出量を、少なくとも第１接地面３９ａの外側縁部３８Ａで高くすることによって、外側縁部３８Ａの下端が内側縁部３８Ｂの下端よりも下方に位置するようにしてもよい。こうした構成によれば、滑り止め機能を十分に発揮させるようにしつつ、上記実施形態と同様の効果を得ることができる。
【０１０８】
・上記実施形態では、開脚状態で側面視したときに、第１接地面３９ａにおける前後方向の外側縁部３８Ａの下端が、内側縁部３８Ｂの下端よりも下方に位置している状態としたが、図１７に示すように、開脚状態で正面視したときに、第１接地面３９ａにおける左右方向の外側縁部３７Ａの下端が、内側縁部３７Ｂの下端よりも下方に位置している状態としてもよい。この場合、開脚状態では、第１接地面３９ａのうち左右方向の外側縁部３７Ａを接地させやすくすることができる。これにより、左右方向における接地部分の離間距離をできるだけ長くすることができ、ポータブルトイレの重心を低い位置に定めることができる。その結果、開脚状態での安定性を確保することができる。
【０１０９】
・開脚状態で側面視したときに、第１接地面３９ａにおける前後方向の外側縁部３８Ａの下端が、内側縁部３８Ｂの下端よりも下方に位置し、かつ、開脚状態で正面視したときに、第１接地面３９ａにおける左右方向の外側縁部３７Ａの下端が、内側縁部３７Ｂの下端よりも下方に位置している状態としてもよい。
【０１１０】
・上記実施形態では、溝部３３を、脚ゴム３０の接地面３９に形成したが、第１面２９ａ及び第２面２９ｂに当接される当接面３１に形成してもよい。また、接地面３９と当接面３１との両方に形成してもよい。
【０１１１】
・脚ゴム３０を設けずに、各脚の第１面２９ａを、開脚状態で前後方向の外側が内側より地面に近くなるように傾斜させることによって、外側縁部３８Ａの下端が内側縁部３８Ｂの下端よりも下方に位置する状態としてもよい。この場合、第１面２９ａが第１接地面３９ａ、第２面２９ｂが第２接地面３９ｂとなる。
【０１１２】
・上記実施形態では、第１接地面３９ａを前後方向の内側に配置し、第２接地面３９ｂを前後方向の外側に配置したが、逆の配置であってもよい。つまり、第１接地面３９ａを前後方向の外側に配置し、第２接地面３９ｂを前後方向の内側に配置してもよい。また、第１接地面３９ａと第２接地面３９ｂとの面積比は上記実施形態のものに限定されず、第１接地面３９ａと第２接地面３９ｂとを同じ大きさとしてもよいし、あるいは第２接地面３９ｂを第１接地面３９ａよりも大きくしてもよい。
【０１１３】
・上記実施形態では、トイレ本体部４０の回動によって、閉脚状態では、受け部６０がバケツ５０の開口部５３を後方に向けた状態でバケツ５０を受けるようにトイレ本体部４０が縦向きに配置される構成としたが、ポータブルトイレ１０の折り畳み状態はこれに限定されない。例えば、トイレ本体部４０の縦向きの配置では、バケツ５０の開口部５３が前方を向けた状態になるように、トイレ本体部４０を回動させることによって折り畳む構成としてもよい。
【符号の説明】
【０１１４】
１０…ポータブルトイレ、１１…脚体部、１２…前脚部、１３…後脚部、１８…脚当接部、２１…前脚本体、２２…後脚本体、２３…連結部、２４…高さ調整部、２６…高さ調整部、２８…連結アーム、３０…脚ゴム、３２…突部、３３…溝部、４０…トイレ本体部、５０…バケツ、５３…開口部、５４…蓋、５５…ストラップ、６０…受け部、６１…本体フレーム、６２…収容部、６３…トレイ、６４…連結板、６５…連結部材、６７…本体支持部、７０…便座、７５…保持部、７６…線条体、７７…回転体、８０…座部、８１…上面、９０…背もたれ部、９１…空間部、９２…肘掛け部、９３…肘掛け本体、９４…回動支持部。
【図１】
2018019781.tif 000003
【図２】
2018019781.tif 000004
【図３】
2018019781.tif 000005
【図４】
2018019781.tif 000006
【図５】
2018019781.tif 000007
【図６】
2018019781.tif 000008
【図７】
2018019781.tif 000009
【図８】
2018019781.tif 000010
【図９】
2018019781.tif 000011
【図１０】
2018019781.tif 000012
【図１１】
2018019781.tif 000013
【図１２】
2018019781.tif 000014
【図１３】
2018019781.tif 000015
【図１４】
2018019781.tif 000016
【図１５】
2018019781.tif 000017
【図１６】
2018019781.tif 000018
【図１７】
2018019781.tif 000019